(57)【要約】［課題］波長分割多重方式の光通信において、光信号が伝送路上の装置等を通過する際に生じる波形の歪み等の影響を抑制し、波形劣化の少ない光信号の伝送を行うことができる光伝送装置を得る。［解決手段］光伝送装置は合波手段８０と、増幅手段８１と、光信号補正手段８２とを備える。合波手段８０は入力された光信号を光信号の各チャネル応じた経路により合波し合波信号として出力する。増幅手段８１は合波信号を増幅し増幅信号として出力する。光信号補正手段８２は増幅信号の補正をチャネルごとに行い補正信号として出力する。合波手段８０、増幅手段８１、光信号補正手段８２の順にすることにより、光信号の波形の歪み等の影響を抑制することができる。
2014017084.tif 000002
【特許請求の範囲】
【請求項１】
入力された光信号を各チャネルに応じた経路により合波し合波信号として出力する合波手段と、
前記合波信号を増幅し増幅信号として出力する増幅手段と、
前記増幅信号の補正をチャネルごとに行い補正信号として出力する光信号補正手段とを備えることを特徴とする光伝送装置。
【請求項２】
前記光信号補正手段は、チャネルごとに光信号の強度を補正する手段であることを特徴とする請求項１に記載の光伝送装置。
【請求項３】
前記光信号補正手段は波長ブロッカを備え、
前記波長ブロッカは前記光信号補正手段に入力された前記増幅信号が入力され、前記補正信号を出力する素子であることを特徴とする請求項１または２いずれかに記載の光伝送装置。
【請求項４】
前記合波手段は波長選択スイッチを備え、
前記波長選択スイッチは前記合波手段に入力された光信号を前記合波信号として出力する素子であることを特徴とする請求項１から３いずれかに記載の光伝送装置。
【請求項５】
前記補正信号を第１の信号と第２の信号に分岐する分岐手段と、
前記第１の信号を伝送路へ出力する手段と、
前記第２の信号の強度を計測する出力計測手段とをさらに備え、
前記補正手段が前記第２の信号の計測結果を基に信号を補正する手段をさらに有することを特徴とする請求項１から４いずれかに記載の光伝送装置。
【請求項６】
前記合波手段と前記増幅手段との間および前記増幅手段と前記光信号補正手段との間の少なくとも１方に光信号を分岐する副分岐手段をさらに備え、
前記出力計測手段は前記副分岐手段により分岐された光信号の強度を計測する手段をさらに有し、
前記補正手段は前記副分岐手段により分岐された光信号の強度の計測結果を基に信号の強度を補正する手段をさらに有することを特徴とする請求項５に記載の光伝送装置。
【請求項７】
前記合波手段における各チャネルに応じた経路が各々光信号を通過させる帯域幅よりも、前記光信号補正手段における各チャネルに応じた経路が各々光信号を通過させる帯域幅の方が広いことを特徴とする請求項１から６いずれかに記載の光伝送装置。
【請求項８】
前記合波手段および前記光信号補正手段が同一の回路基板上に実装されていることを特徴とする請求項１から７いずれかに記載の光伝送装置。
【請求項９】
前記合波手段および前記光信号補正手段がそれぞれ独立した部品として形成されていることを特徴とする請求項８に記載の光伝送装置。
【請求項１０】
請求項１から９いずれかに記載の光伝送装置を複数台備え、
前記光伝送装置のうち１台から出力された出力信号の一部または全てが他の前記光伝送装置の前記合波手段へと入力されることを特徴とする光分岐挿入装置。
【請求項１１】
入力された光信号を前記光信号の各チャネルに応じた経路により合波し合波信号として出力し、
前記合波信号を増幅し増幅信号として出力し、
前記増幅信号の補正をチャネルごと行い補正信号として出力することを特徴とする光信号の伝送方法。
【請求項１２】
前記補正信号の一部を計測信号として分岐し、
前記計測信号の強度を計測し、
計測結果に基づいて前記増幅信号の補正を行うことを特徴とする請求項１１に記載の光信号の伝送方法。
【発明の詳細な説明】
【技術分野】
【０００１】
本発明は光通信に関する技術であり、特に波長分割多重方式での光信号を伝送する光伝送装置に関するものである。
【背景技術】
【０００２】
情報通信社会の発展とともに通信量が飛躍的に増大しており、高速で大容量の通信回線の役割が大きくなっている。光通信回線はその中でも重要な役割を担っており、関連する技術の開発が盛んに行われている。大容量化のための通信技術の１つとして、符号化された各信号を多重化して伝送する技術が用いられることがある。光通信分野においても、符号化された各信号に波長を割り当て、各波長の光信号を多重化して伝送する波長分割多重（Wavelength Division Multiplexing；ＷＤＭ）方式が用いられている。【０００３】
光通信回線において光信号は伝送路上の中継器や増幅器など様々な装置を経由して伝送される。伝送路では光信号の強度が減衰するだけでなく、材料や接続部等ごとに異なる波長依存性を有することから信号波形の劣化等が生じる。波長分割多重方式において、一定の帯域内でより多くの光信号を多重化するためには、設定される波長の間隔を狭くする必要がある。しかし、各信号間の波長間隔が狭くなると光信号の劣化等の影響はさらに生じやすくなる。一方で、情報伝達を正確に行うためには、受信側で予め想定されている設計範囲内に光信号の劣化は抑えられなければならない。光信号の伝送路においては、光信号の劣化および雑音の加算等により光信号の強度の雑音に対する比、すなわち、光信号対雑音比（Optical Signal to Noise Ratio；ＯＳＮＲ）が劣化する。受信される光信号の劣化およびそれらによって生じるＯＳＮＲの劣化等を設計範囲内に抑えるために、伝送路の途中で光信号の補正が行われることがあり、各伝送装置において光信号の補正を行う技術が開発されている。例えば、特許文献１では中継器として用いられる伝送装置で光信号の補正を行う技術が示されている。【０００４】
特許文献１の伝送装置は、入力部に設けられた増幅器と、光分岐挿入装置（Optical Ad-Drop Multiplexer；ＯＡＤＭ）と、光減衰手段と、出力部に設けられた増幅器とからなる。特許文献１の伝送装置は、出力部に設けられた増幅器の出力側で光信号の強度を測定する手段を備えている。また、特許文献１の伝送装置は、光信号の強度の測定結果に基づいて光減衰手段での減衰量および光分岐挿入装置で伝送路へ出力される光信号の強度を制御する手段をさらに備えている。入力部から入力される光信号については、光減衰手段で強度が調整され、光信号は光分岐挿入装置への入力前に強度が調整される。特許文献１は、これらの調整を、各信号が所定の強度で伝送装置から出力されるように制御して行うことにより、光信号の伝送を出力一定にして行うことが可能であるとしている。【０００５】
特許文献２の伝送装置は、分波器と、分波された各光信号を調整する手段と、調整された各光信号を合波する合波器とからなる。分波器への入力前の光信号の波長毎の強度が計測され、分波後に計測結果を基に各光信号が調整され、再び合波される。特許文献２は、各光信号に応じた適切な調整量が判断されて調整されることにより、変調方式やビットレート等が異なる光信号を多重化して伝送することが可能であるとしている。
【先行技術文献】
【特許文献】
【０００６】
【特許文献１】特開２００２−１８５４０７号公報
【特許文献２】特開２００７−２３５４１２号公報
【発明の概要】
【発明が解決しようとする課題】
【０００７】
しかしながら、特許文献１に開示された技術には次のような課題がある。特許文献１の光伝送装置では、光減衰手段で減衰した光信号と光分岐挿入装置からの光信号が出力側の増幅器へと入力される。光減衰手段で減衰された光信号は波形には何ら補正を加えられないまま、増幅器へと入力されるため経路上での雑音が増幅されて蓄積される。よって、光信号の送り先となる受信側の装置に到達した際に雑音の蓄積等によりＯＳＮＲの劣化が大きくなり、受信側の装置が光信号を正しく受信できない場合が生じる。【０００８】
また、特許文献２の光伝送装置は、光信号の増幅および分波前の光信号の波形を解析し、分波した各波長の光信号の補正を実施している。よって、増幅器によって生じる雑音や増幅によって強調された波形の歪みは認識されずに、そのまま出力される場合がある。その結果、伝送路で光信号が伝送されるに従って波形の歪みが蓄積され、受信側で正しく信号を受信できない場合が生じる。【０００９】
本発明は、光信号が伝送路上の装置等を通過する際に生じる波形の歪み等の影響を抑制し、波形劣化が少なく、ＯＳＮＲの劣化の小さい光信号の伝送を行うことができる光伝送装置を得ることを目的とする。
【課題を解決するための手段】
【００１０】
上記の課題を解決するため、本発明の光伝送装置は合波手段と、増幅手段と、光信号補正手段とを備えている。合波手段は、入力された光信号を光信号の各チャネルに応じた経路により合波し合波信号として出力する。増幅手段は合波信号を増幅し増幅信号として出力する。光信号補正手段は増幅信号の補正をチャネルごとに行い補正信号として出力する。【００１１】
本発明の光信号の伝送方法は、入力された光信号を光信号の各チャネルに応じた経路により合波し合波信号として出力し、合波信号を増幅し増幅信号として出力する。また、本発明の光信号の伝送方法は、増幅信号の補正をチャネルごと行い補正信号として出力する。
【発明の効果】
【００１２】
本発明によれば、合波手段、増幅手段および光信号補正手段に順に信号を入力することにより、光信号の波形の歪みやＯＳＮＲの劣化等の信号劣化の影響を抑制することができる。その結果、光信号の波形の歪みやＯＳＮＲの劣化等の小さい光信号の伝送が可能となり、通信の品質が向上する。
【図面の簡単な説明】
【００１３】
【図１】本発明の第１の実施形態における構成の概要を示す図である。
【図２】本発明の第１の実施形態における構成の一部を示す図である。
【図３】本発明の第１の実施形態における構成の一部を示す図である。
【図４】本発明における光信号の出力レベルの例を示す図である。
【図５】本発明の第２の実施形態における構成の概要を示す図である。
【図６】本発明の第２の実施形態における構成の一部を示す図である。
【図７】本発明における光信号の波形の例を示す図である。
【図８】本発明における光信号の波形の例を示す図である。
【図９】本発明の光伝送装置の構成の例を示す図である。
【図１０】本発明の光伝送装置の構成の例を示す図である。
【図１１】本発明の第３の実施形態における構成の概要を示す図である。
【発明を実施するための形態】
【００１４】
本発明の第１の実施形態について図１を参照して詳細に説明する。図１は本実施形態の光伝送装置の構成の概要を示す図である。本実施形態の光伝送装置は、合波ユニット１０と分波ユニット２０とからなる。
【００１５】
合波ユニット１０は、合波器１１と、合波された光信号を増幅する第１の増幅器１２と、第１の増幅器１２からの光信号を補正する波長ブロッカ１３と、波長ブロッカ１３からの出力信号を増幅する第２の増幅器１４とを備えている。各素子の間は光ファイバーを介して接続されている。
【００１６】
合波器１１には波長選択スイッチ（Wavelength Selective Switch；WSS）が用いられる。図２は合波器１１の構成の概要を示している。合波器１１として用いる波長選択スイッチは、光信号を分波する分波素子１００と、入力された光信号を選択して出力する機能を有するスイッチ素子１０１と、光信号の合波機能を有する合波素子１０２とからなる。分波素子１００は多重化されて入力される信号をチャネルごとの光信号に分波する。チャネルとは、光信号を所定の帯域ごとに分けた際に、その個々の所定の帯域とそれに含まれる光信号のことをいう。所定の帯域は、ネットワークの設計等応じて、一定または可変に設定される。
【００１７】
各分波素子１００で分波されたチャネルごとに分けられた光信号は、各チャネルに割り振られたスイッチ素子１０１へと入力される。スイッチ素子１０１は複数の分波素子１００から入力される光信号から、各チャネルで必要な信号を選択し出力することができる。その際、１つのチャネルについては、１つの光信号のみが選択される。このことはコンテンションと呼ばれることがある。合波素子１０２は、スイッチ素子１０１で選択された各チャネルの光信号を選択して出力する。
【００１８】
分波素子１００および合波素子１０２には、回折格子やプリズムなどを用いることができる。また、分波素子１００および合波素子１０２として、アレイ導波路回折格子（Arrayed Waveguide Grating；ＡＷＧ）が用いられることもある。スイッチ素子１０１としては、例えば、ＭＥＭＳ（Micro-Electro-Mechanical System）技術、ＬＣＯＳ（Liquid Crystal On Silicon）技術が用いられる。スイッチ素子１０１としては、ＬＣ（Liquid Crystal）素子技術、ＤＬＰ（Digital Light Processing）素子技術などが用いられることもある。また、スイッチ素子１０１はこれらの各素子の組み合わせによって構成されることもある。分波素子１００、スイッチ素子１０１および合波素子１０２の組み合わせにより、複数の系統から入力される光信号から、チャネルごとに必要な信号を選択し合波された信号として出力することができる。
【００１９】
合波器１１を光信号が通過する際に、光信号は分波素子１００でチャネルごとの光信号、すなわち所定の波長帯域ごとの光信号に分波される。その後、光信号は各チャネルに割り振られたスイッチ素子１０１に入力され、スイッチ素子１０１で必要な光信号が選択されて、合波素子１０２で合波される。よって、合波器１１を通過する際に、光信号はチャネルごとに分波されて各チャネルに応じた所定の経路を通った後に合波される。そのため、光信号は合波器１１通過後、各チャネルの光信号について所定の波長帯域以外の信号を含まずに多重化された光信号となる。
【００２０】
第１の増幅器１２としては固定利得光アンプ（Fixed Gain Amplifier：ＦＧＡ）が用いられる。固定利得光アンプには、例えば、エルビウム添加ファイバ増幅器（Erbium Doped Fiber Amplifier；ＥＤＦＡ）を用いることができる。第２の増幅器１４も第１の増幅器１２と同様の素子を用いることができる。
【００２１】
波長ブロッカ１３は所定の波長領域外の光信号を減衰させるフィルタ機能、および、所定の波長領域内の光信号を減衰させる機能を有する。図３は波長ブロッカ１３の構成の概要を示している。波長ブロッカ１３は第１の回折格子１０３と、可変光アッテネータ部１０４（Variable optical attenuator；ＶＯＡ）と、第２の回折格子１０５とからなる。波長ブロッカ１３は光信号を第１の回折格子１０３により分波し、各チャネルの光信号ごとに減衰等の調整が行える可変光アッテネータ部１０４の機能により各信号の補正を行う。各チャネルの光信号は減衰等の調整後に第２の回折格子１０５により合波され、波長ブロッカ１３から出力される。可変光アッテネータ部１０４の例としては、液晶素子の光シャッター機能を用いるものを利用することができる。この場合、液晶素子は各波長の信号の経路上に形成されている。液晶素子を用いた例では、液晶層への電圧印加により液晶層の配向が変化し、光透過率が連続的に変わることを利用してチャネルごとの調整が行われる。
【００２２】
分波ユニット２０は増幅器２１と、分波器２２とを備えている。増幅器２１と分波器２２の間は光ファイバーを介して接続されている。増幅器２１は第１の増幅器１２と同様の素子を用いることができる。分波器２２はアレイ導波路回折格子と、マトリックス状のスイッチ素子などを備えている。増幅器２１から分波器２２へと入力された光信号は、アレイ導波路回折格子で波長ごとすなわちチャネルごとに分波される。分波された光信号はスイッチ素子により、所定の経路へと導かれて出力される。光信号はスイッチ素子で経路が選択された後に、所定の経路ごとに設けられた合波素子を通過し、合波された状態で所定の経路ごとに出力されることもある。
【００２３】
合波ユニット１０および分波ユニット２０において各素子が同一デバイス上に形成されている場合などは、各素子間の接続経路は光ファイバーを介しての接続だけでなく、他の光学経路を介して接続されていることもある。
【００２４】
次に本実施形態の光伝送装置での分波ユニット２０での動作について説明する。分波ユニット２０に伝送路から光信号が入力される。分波ユニット２０に入力された光信号は伝送路での損失を補償するため、増幅器２１で増幅される。増幅器２１で増幅された光信号は分波器２２へと送られる。増幅器２１から分波器２２に入力された光信号は、アレイ導波路回折格子へと送られて波長ごと、すなわちチャネルごとに分波される。分波されたチャネルごとの光信号はスイッチ素子により波長に対応した経路へと導かれ分波ユニット２０から出力される。また、分波器２２で分波されたチャネルごとの光信号は、経路ごとに合波された状態で各経路へと出力されることもある。
【００２５】
分波ユニット２０においては、分波器２２の代りに光スプリッタが用いられることもある。この場合は、光信号は分波ユニット２０では分波されずに光スプリッタで複数の経路への光信号に分岐されて出力される。光スプリッタで分岐したのみで出力される場合は、対向する光伝送装置の合波ユニットの波長選択スイッチなどで、必要な光信号の選択が行われる。また、分波器２２には、波長選択スイッチ等が用いられることもある。
【００２６】
次に本実施形態の光伝送装置での合波ユニット１０での動作について説明する。各経路から光信号が合波ユニット１０に入力される。合波ユニット１０に入力された経路ごとの光信号は、合波器１１の分波素子１００により分波され、各チャネルに対応するスイッチ素子１０１へと入力される。スイッチ素子１０１でチャネルごとに必要な光信号が選択された後に、選択された光信号が合波素子１０２で合波されて多重化される。多重化された光信号は合波器１１から出力され第１の増幅器１２へと送られて増幅される。第１の増幅器１１で増幅された光信号は波長ブロッカ１３へと送られる。波長ブロッカ１３では内部で再び、波長毎、すなわちチャネルごとに分波されたのちに所定の減衰処理が行われる。所定の減衰処理とは、例えば各チャネルに設定された帯域外の信号を遮断するフィルタリング処理や、各チャネルに設定された帯域内での減衰処理などを行い光信号の補正を行うことをいう。また、各信号間のレベル等化処理が行われることもある。所定の減衰処理が行われた光信号は再び合波されて波長ブロッカ１３から出力される。波長ブロッカ１３から出力された光信号は第２の増幅器１４で増幅された後に、合波ユニット１０から出力され伝送路へと送られる。
【００２７】
波長選択スイッチでは、分波素子１０１で分波された所定の帯域ごと、すなわち、チャネルごとの光信号がスイッチ素子１０１を通過し、合波素子１０２で合波される。分波素子１０１で分波された各チャネルの光信号がスイッチ素子１０１に入力される際、光信号の各チャネルの帯域外の部分はスイッチ素子１０１に入力されない。よって、波長選択スイッチは一定の帯域外の信号を通過させないフィルタ機能を有する。本実施形態の光伝送装置では伝送路からの各波長の光信号、すなわち各チャネルの光信号は、波長選択スイッチのフィルタ機能により、チャネルごとに一定の帯域以外の信号強度が減衰した状態で合波される。よって、伝送路から入力された各信号はクロストークが除去され互いに他のチャネルの信号へ影響を及ぼさない。また、各チャネルの光信号のノイズも除去され、合波された光信号は雑音が小さい信号となっている。合波された光信号は増幅器で増幅されるが、雑音が少ない状態の光信号を基に増幅されるため増幅後の雑音も抑制される。雑音が少ない状況で増幅された光信号を基に、波長ブロッカ部での光信号の補正が行われるため、正確な補正処理の実施が可能となる。これらの処理を行うことにより、本実施形態の光伝送装置では光信号の品質を高めることができる。
【００２８】
合波器１１として用いた波長選択スイッチおよび波長ブロッカ１３などは光信号の損失媒体となり得るものである。本実施形態と異なり、合波器１１および波長ブロッカ１３を同一の部品等で形成し間に増幅器を備えていない構成としたとすると、光信号の全挿入損失が大きくなる。その結果、チャネルごとの光信号の強度、すなわち、パワーレベルが小さくなりやすく、出力される光信号のＯＳＮＲの劣化が生じやすい。
【００２９】
一方で、本実施形態のように合波器１１と、第１の増幅器１２と、波長ブロッカ１３とを順に用いることにより、装置内におけるチャネルごとの光信号の強度の最小値を改善することができる。すなわち、本実施形態の構成とすることにより、増幅器を備えない場合に比べて装置内における光信号の強度の最小値を大きく保つことができる。ＯＳＮＲは、装置内におけるチャネルごとの光信号の強度の最小値に大きく依存するため、最小値を大きくすることによりＯＳＮＲを改善することができる。よって、本実施形態の構成とすることにより、増幅器を備えない構成に比べＯＳＮＲを改善することができる。複数の光伝送装置を経由して設定される伝送経路においては、改善効果が光伝送装置を経由するごとに加算されるため、これらの効果は特に顕著になる。
【００３０】
波長選択スイッチと増幅器からのみで構成され波長選択スイッチでのレベル等化処理で信号の補正を行う光伝送装置と本実施形態の光伝送装置を比較してみることとする。図４は、本実施形態の場合および波長選択スイッチと増幅器からのみで構成された場合での、各素子通過後の光信号のレベルを模式的に示している。図４の横軸、すなわち距離の軸は光伝送装置上の合波器１０での位置を示し、グラフの上部に合波器１０の各対応する素子を示した。光信号波長選択スイッチに入力されたときの光信号のレベルがＳ０（dBm/ch）であるとする。また、波長選択スイッチでの挿入損失はＩＬ_ＷＳＳ（dB）、波長選択スイッチからの出力レベルはＳ１（dBm/ch）、第１の増幅器での増幅後のレベルはＳ２（dBm/ch）であるとする。波長ブロッカでの挿入損失はＩＬ_ＷＢ（dB）、波長ブロッカで実施されるレベル等化での減衰の大きさはＩＬ_ＬＥＱ（dB）、波長ブロッカの出力レベルはＳ３（dBm/ch）であるとする。
【００３１】
波長選択スイッチでレベル等化を行う光伝送装置では、入力時にＳ０（dBm/ch）であった光信号は、挿入損失およびレベル等化の減衰処理の影響を受け、波長選択スイッチからの出力時にはＳ０−ＩＬ_ＷＳＳ−ＩＬ_ＬＥＱ（dBm/ch）となる。一方で、本実施形態の伝送装置では波長選択スイッチで減衰処理を行っていないため、波長選択スイッチの出力時の信号レベルはＳ０−ＩＬ_ＷＳＳ（dBm/ch）となる。よって、本実施形態での波長選択スイッチの出力時はＩＬ_ＬＥＱ（dB）だけ信号レベルが高くなる。
【００３２】
本実施形態の光伝送装置において波長ブロッカの出力時の信号レベルはＳ２−ＩＬ_ＷＢ−ＩＬ_ＬＥＱ（dBm/ch）となる。Ｓ２は、例えば、１００チャネルの波長分割多重信号を増幅するシステムで、出力−１．０dBm/chの信号レベルを確保するためには、総出力＋１９．０dBmのＷＤＭ固定利得アンプが必要である。総出力＋１９．０dBm程度のWDM固定利得アンプは一般に市販されている。ＷＤＭ固定利得アンプとはＣバンドやＬバンド等で一定の波長範囲において利得が一定になるように調整された光アンプである。また、総出力＋２１．０dBmの光アンプを用いた場合は、Ｓ２の大きさは１００チャンネルのシステムで＋１．０dBm/ch、８０チャンネルのシステムで＋２．０dBm/ch、４０チャンネルのシステムで＋５．０dBm/chとなる。
【００３３】
１００チャネルのシステムで、第１の増幅器１２として総出力＋２１．０dBmの光アンプを用い、Ｓ２が＋１．０dBm/chであったとする。波長ブロッカに市販品として入手できる挿入損失ＩＬ_ＷＢが＋６．０dBのものを使用し、ＩＬ_ＬＥＱを２．０dBに設定するとする。このとき、波長ブロッカの出力部の信号レベルＳ３＝Ｓ２−ＩＬ_ＷＢ−ＩＬ_ＬＥＱ（dBm/ch）は−７．０dBm/chとなる。このとき、波長選択スイッチの出力レベルＳ１より、波長ブロッカの出力レベルＳ３が高くなる場合を考えると、Ｓ１＜Ｓ３＝Ｓ２−ＩＬ_ＷＢ−ＩＬ_ＬＥＱ＝−７．０dBm/chとなる。このとき、Ｓ１＝Ｓ０−ＩＬ_ＷＳＳ（dBm/ch）であるから、Ｓ０−ＩＬ_ＷＳＳ＜−７．０dBm/chが成り立つ。波長選択スイッチに挿入損失６．０dBのものを用いるとＳ０＜−１．０dBm/chとなる。
【００３４】
総出力＋１９．０dBmのＷＤＭ固定利得アンプを第１の増幅器として用いた場合、Ｓ２が−１．０dBm/chであるから、波長ブロッカの出力部の信号レベルＳ３＝Ｓ２−ＩＬ_ＷＢ−ＩＬ_ＬＥＱは−９．０dBm/chとなる。総出力＋１９．０dBmと同様に計算するとＳ０＜−３．０dBm/chとなる。よって、本実施形態の伝送装置の構成を用いると、入力信号のレベルが低いときでも、第１の増幅器１２の出力レベルを上げる必要はなく、高い信号レベルを維持できる。
【００３５】
第１の実施形態の光伝送装置を用いることにより、光信号の伝送時に生じる光信号の波形の歪みやＯＳＮＲの劣化等の信号劣化の影響を抑制することができる。この効果は、合波手段がチャネルごとの経路を有することによるフィルタ特性により光信号に含まれる雑音等が除去され、雑音等が除去された状態で光信号を増幅し、さらに光信号の補正を行うことによるものである。光信号の補正を雑音の少ない状態で行うことにより信号補正の精度が向上する。その結果、光伝送装置の通過の際の雑音等の蓄積の影響が減少し、光信号の波形の歪みやＯＳＮＲの劣化等が小さな状態での光信号の伝送が可能となり、通信の品質が向上する。
【００３６】
次に本発明の第２の実施形態について図５を参照して詳細に説明する。図５は本実施形態における光伝送装置の構成の概要を示したものである。本実施形態の光伝送装置は光信号の出力レベルの計測を行い、計測結果を基に信号の補正を行うことが特徴である。
【００３７】
本実施形態の光伝送装置は、分波ユニット３０と合波ユニット４０からなる。
【００３８】
分波ユニット３０は、伝送路から入力された光信号を増幅する増幅器３１と、増幅された光信号を波長毎の各信号に分波する分波器３２とを備えている。分波ユニット３０の構成および機能は第１の実施形態での同名称の部位と同一である。
【００３９】
合波ユニット４０は、合波器４１と、第１の増幅器４２と、波長ブロッカ４３と、第２の増幅器４４と、分岐部４５と、出力計測器４６とを備えている。合波器４１と、第１の増幅器４２と、第２の増幅器４３の構成および機能は第１の実施形態での同名称の部位と同一である。分岐部４５は第２の増幅器４４で増幅された光信号を伝送路への光信号と、出力計測器４６への光信号とに分岐する。分岐部４５には、例えば、光カプラが用いられる。出力計測器４６は、光信号の波長ごとの強度、すなわちチャネルごとの出力レベルを計測することができる光チャネルモニタ（Optical Channel Monitor；ＯＣＭ）機能を有しており、計測結果を波長ブロッカへと送信する。波長ブロッカ４４は所定の波長領域外の信号を減衰させるフィルタ機能、および、所定の波長領域内の光信号を出力計測器４６での計測結果を基に減衰させ調整する機能を有する。波長ブロッカ４４は光信号を回折格子等により分波し、各波長の信号ごとに減衰等の調整が行える可変光アッテネータ機能を有している。可変光アッテネータでの光信号の補正量は出力計測器４６での計測結果を基に、補正後の信号レベルが所定のレベルになるように制御される。所定のレベルとは伝送路への送出に必要な信号レベル等を基にあらかじめ設定されている出力レベルのことである。また、所定のレベルは分岐部４５での信号レベルの低下も考慮されて設定されている。各波長の光信号は減衰等の調整後に回折格子等により合波され、波長ブロッカ４４から出力される。
【００４０】
分波ユニット３０および合波ユニット４０において各素子間は光ファイバーで接続されている。また、分波ユニット３０および合波ユニット４０において、各素子が同一デバイス上に形成されている場合などは各素子間の接続は光ファイバーではなく、他の光学経路が設けられていることもある。
【００４１】
本実施形態の光伝送装置での分波ユニットでの動作について説明する。分波ユニット３０に伝送路から光信号が入力される。分波ユニット３０に入力された光信号は伝送路での損失を補償するため、増幅器３１で増幅される。増幅器３１で増幅された光信号は分波器３２へと送られる。増幅器３１から分波器３２に入力された光信号は、アレイ導波路回折格子へと送られてチャネルごとに分波される。分波されたチャネルごとの光信号はスイッチ素子により波長に対応した経路へと導かれ分波ユニット３０から出力される。また、チャネルごとの光信号は経路ごとに合波素子を備えることにより、合波された状態で各経路へ出力されることもある。
【００４２】
分波ユニット３０においては、分波器３２の代りに光スプリッタが用いられることもある。この場合は、光信号は分波ユニット３０では分波されずに光スプリッタで複数の経路への光信号に分岐されて出力される。光スプリッタで分岐したのみで出力される場合は、対向する光伝送装置の合波ユニットの波長選択スイッチなどで、必要な光信号の選択が行われる。また、分波器３２には、波長選択スイッチ等が用いられることもある。
【００４３】
次に本実施形態の光伝送装置での合波ユニット４０での動作について説明する。各経路から波長の異なる光信号が合波ユニット４０に入力される。合波ユニット４０に入力された各光信号は、合波器４１に設けられた波長選択スイッチで、分波されたチャネルごとに光信号が選択された後、合波によって多重化されて出力される。多重化されて出力された光信号は第１の増幅器４２へと送られて増幅される。第１の増幅器４２で増幅された光信号は波長ブロッカ４３へと送られる。波長ブロッカ４３では内部で再び、波長毎に分波されたのちに所定の減衰処理が行われる。所定の減衰処理はあらかじめ設定された信号レベルとなるように、出力計測器４６での信号レベルの計測結果を基に行われる。減衰処理が行われた光信号は再び合波されて波長ブロッカ４３から出力される。
【００４４】
波長ブロッカ４３から出力された光信号は第２の増幅器４４で増幅される。第２の増幅器４４で増幅された光信号は、分岐部４５で伝送路へ出力される光信号と出力計測器４６側への光信号とに分岐される。分岐された光信号のうち伝送路へと出力される光信号は合波ユニット４０から出力され伝送路へと送られる。出力計測器４６側への光信号は出力計測器４６へと送られる。出力計測器４６は光信号を受信するとチャネルごとの光信号へと分波し分波された光信号の強度をフォトダイオードで計測する。分波はアレイ導波路回折格子などの回折格子を用いて行われる。計測された光信号の強度は波長ブロッカ４３へと送られ、波長ブロッカ４３での減衰処理の量を決める基となる情報として使われる。
【００４５】
本実施形態の合波ユニット４０において、光信号の計測は第２の増幅器４４で増幅された光信号を分岐部４５で分岐することによって行ったが、計測を行う箇所を増やしてもよい。例えば、図６に示しように、分波器４１、第１の増幅器４２、波長ブロッカ４３、第２の増幅器４４に間にそれぞれ分岐部が設置されてもよい。図６のそれぞれの素子の間に設置された、分岐部４７、分岐部４８、分岐部４９から分岐された光信号は出力計測器４６へと送られる。分岐部４７、分岐部４８、分岐部４９には分岐部４５と同一の構成、機能の素子を用いることができる。出力計測器４６へと送られた光信号は、分岐部４５で分岐された光信号と同様にチャネルごとに分波されて強度の測定が行われる。波長ブロッカ４３、第２の増幅器４４の前後で計測することにより、各チャネルの実際の減衰量を加味した制御が可能となり、信号補正の精度が向上する。また、計測のための分岐点を増やすことにより、各素子の故障時にその影響を加味した制御が可能となる。
【００４６】
また、本実施形態の光伝送装置の各素子は個々に独立した部品として形成されていてもよく、いくつかの素子が１つの部品として形成されていてもよい。個々に独立した部品として形成されている場合、同一の回路基板上などの一体化された部品として実装されることにより、各素子間での連携した動作の精度が向上する。合波器４１および波長ブロッカ４３が別々の部品として形成されているとき、同一基板上などに実装する効果が特に大きくなる。
【００４７】
第２の実施形態の光伝送装置を用いることにより、光信号が伝送路上の装置等を通過する際に生じる光信号の波形の歪みやＯＳＮＲの劣化等の信号劣化の影響を抑制することができる。特に出力レベルを計測し信号の補正レベルを決定しているため、補正の精度が高くなり波形の歪み等の影響の抑制効果が高い。その結果、通信の品質がより向上する。
【００４８】
本発明の第１および第２の実施形態の光伝送装置では、波長選択スイッチと波長ブロッカを用いているために、各波長の光信号、すなわち各チャネルの光信号は２回フィルタリングされることになる。フィルタ形状と信号のスペクトルの形状が近づくにつれ、光信号はフィルタの影響を強く受けるため帯域狭窄が生じることがあり、２回のフィルタリングのために影響が大きくなることがある。図７は波長選択スイッチと光信号のスペクトルが近づいた場合の例を示した。図７では信号形状と波長選択スイッチの1チャンネル分に相当するフィルタ特性を示すＷＳＳフィルタ形状の形が近くなっている。このとき光信号は波長選択スイッチの有するフィルタ効果の影響を受けやすい。また、図８はスーパーチャネル方式と呼ばれる１つのチャネル内に２つ以上の波長ピークをもつ信号を設定する場合の例を示した。
【００４９】
スーパーチャネル方式ではフィルタ内の帯域を広く使うため、フィルタリングの影響を特に受けやすい。フィルタリングの影響を低減するためには、波長選択スイッチのフィルタの帯域幅より広いフィルタ帯域幅を持つ波長ブロッカを用いるとよい。図７と図８に示した例では、波長選択スイッチよりも波長ブロッカの有するフィルタ特性を示すＷＢフィルタ特性の方が帯域幅は広い。よって、図７と図８の例の場合は帯域狭窄の影響が低減されている。波長ブロッカの帯域幅を波長選択スイッチの帯域幅より広くとる場合、波長ブロッカの帯域幅を波長選択スイッチの帯域幅に対して、０．５ｄBの帯域幅で２０％以上広い設定とすることが望ましい。
【００５０】
本発明の第１または第２の実施形態の光伝送装置は、複数台を組み合わせて光クロスコネクト機能を有する光伝送装置として用いることができる。光クロスコネクト機能を有する光伝送装置は光クロスコネクト装置とも呼ばれる。図９は本発明の第１または第２の実施形態の光伝送装置を４台用いて、光クロスコネクト機能を有する光伝送装置を構成した際の概要図である。各々の光伝送装置５０は分波ユニット５１と合波ユニット５２からなっている。各装置は分波ユニット５１で伝送路から光信号を受信し、光信号を他の装置の経路へと送信する。各々の光伝送装置５０の合波ユニット５２は他の装置からの光信号から必要なチャネルを選択して合波し、伝送路へと送信する。互いに他の装置との光信号の送受信ができるため、各伝送路からの光信号は、組み合わせを変えて他の伝送路へと進むことができる。この組み合わせを変える部分をクロスコネクト部という。
【００５１】
図１０は光クロスコネクト装置を構成する複数の光伝送装置のうちの２台として、第１の実施形態の光伝送装置が用いられている例を示したものである。各々の光伝送装置６０は、分波ユニット６１と合波ユニット６４からなる。分波ユニット６１および合波ユニット６４は第1の実施形態の同一名称のユニットと同一の機能を有している。分波ユニット６１は増幅器６２および分波器６２からなる。分波ユニット６１の分波器６３から出力された光信号の一部は、分岐（ドロップ）されて他の装置または自装置に送られて光信号の情報が利用される。分波ユニット６１から出力された他の光信号はクロスコネクト部へ送られる。図１０においてクロスコネクト部へ送られる光信号をクロスコネクト部への信号群７０として示した。また、合波ユニット６４は、合波器６５と、第１の増幅器６６と、波長ブロッカ６７と、第２の増幅器６８からなる。合波ユニット６４の合波器６５には、クロスコネクト部からの信号群６９が入力される。このとき、他の装置または自装置から１つまたは複数の光信号が挿入（アド）されることがある。合波器６５では挿入（アド）された光信号とクロスコネクト部からの光信号が合波される。
【００５２】
図１０では他の装置または自装置で光信号を受信または送信する部分をアド・ドロップ機能部７１として示した。このような構成とすることにより、第１の実施形態の光伝送装置を複数組み合わせて光分岐挿入装置を構成することができる。図１０では第１の実施形態の光伝送装置を用いた例のみを示したが、第２の実施形態の光伝送装置を用いてもよく、第１および第２の光伝送装置の両方を用いてもよい。また、第１および第２の実施形態以外の形態の光伝送装置が光分岐挿入装置の構成に含まれていてもよい。第１および第２の実施形態の光伝送装置を用いることにより、信号劣化の影響の小さい光分岐挿入装置を得ることができる。
【００５３】
本発明の第１および第２の実施形態の光伝送装置はクロスコネクトの経路やアドおよびドロップの経路を動的に変更が可能な装置に用いることができる。アドおよびドロップの経路が動的に変更可能な装置はＲＯＡＤＭ（Reconfigurable Optical Add/Drop Multiplexer）と呼ばれることがある。
【００５４】
本発明の第３の実施形態について図１１を参照して詳細に説明する。図１１は第３の実施形態の光伝送装置の構成の概要を示した図である。
【００５５】
本実施形態の光伝送装置は合波手段８０と、増幅手段８１と、光信号補正手段８２とを備えている。合波手段８０は入力された光信号を光信号の各チャネルに応じた経路により合波し合波信号として出力する。増幅手段８１は合波信号を増幅し増幅信号として出力する。光信号補正手段８２は増幅信号の補正をチャネルごとに行い補正信号として出力する。
【００５６】
本実施形態の光伝送装置は、光信号の波長に応じた経路を有する合波手段と、増幅手段と、チャネルごとの光信号補正手段とを順に用いている。このような順に信号を入力することにより、光信号の波形の歪みやＯＳＮＲの劣化等の信号劣化の影響を抑制することができる。この効果は、合波手段が波長に応じた経路を有することによるフィルタ特性により光信号に含まれる雑音等が除去され、雑音等が除去された状態で光信号を増幅し、さらに光信号補正を行うことにより生じる。信号の補正を雑音の影響が少ない状態で行うことにより信号補正の精度が向上する。その結果、光伝送装置の通過の際の雑音等の蓄積の影響が減少し、光信号の波形の歪みやＯＳＮＲの劣化等が小さな状態での光信号の伝送が可能となり、通信の品質が向上する。
【００５７】
上記の実施形態の一部又は全部は、以下の付記のようにも記載されうるが、以下には限られない。
【００５８】
（付記１）入力された光信号を各チャネルに応じた経路により合波し合波信号として出力する合波手段と、前記合波信号を増幅し増幅信号として出力する増幅手段と、前記増幅信号の補正をチャネルごとに行い補正信号として出力する光信号補正手段とを備えることを特徴とする光伝送装置。
【００５９】
（付記２）前記光信号補正手段は、チャネルごとに光信号の強度を補正する手段であることを特徴とする付記１に記載の光伝送装置。
【００６０】
（付記３）前記光信号補正手段は波長ブロッカを備え、前記波長ブロッカは前記光信号補正手段に入力された前記増幅信号が入力され、前記補正信号を出力する素子であることを特徴とする付記１または２いずれかに記載の光伝送装置。
【００６１】
（付記４）前記合波手段は波長選択スイッチを備え、前記波長選択スイッチは前記合波手段に入力された光信号を前記合波信号として出力する素子であることを特徴とする付記１から３いずれかに記載の光伝送装置。
【００６２】
（付記５）前記補正信号を第１の信号と第２の信号に分岐する分岐手段と、前記第１の信号を伝送路へ出力する手段と、前記第２の信号の強度を計測する出力計測手段とをさらに備え、前記補正手段が前記第２の信号の計測結果を基に信号を補正する手段をさらに有することを特徴とする付記１から４いずれかに記載の光伝送装置。
【００６３】
（付記６）前記合波手段と前記増幅手段との間および前記増幅手段と前記光信号補正手段との間の少なくとも１方に光信号を分岐する副分岐手段をさらに備え、前記出力計測手段は前記副分岐手段により分岐された光信号の強度を計測する手段をさらに有し、前記補正手段は前記副分岐手段により分岐された光信号の強度の計測結果を基に信号の強度を補正する手段をさらに有することを特徴とする付記５に記載の光伝送装置。
【００６４】
（付記７）前記合波手段における各チャネルに応じた経路が各々光信号を通過させる帯域幅よりも、前記光信号補正手段における各チャネルに応じた経路が各々光信号を通過させる帯域幅の方が広いことを特徴とする付記１から６いずれかに記載の光伝送装置。
【００６５】
（付記８）前記合波手段および前記光信号補正手段が同一の回路基板上に実装されていることを特徴とする付記１から７いずれかに記載の光伝送装置。
【００６６】
（付記９）前記合波手段および前記光信号補正手段がそれぞれ独立した部品として形成されていることを特徴とする付記８に記載の光伝送装置。
【００６７】
（付記１０）付記１から９いずれかに記載の光伝送装置を複数台備え、前記光伝送装置のうち１台から出力された出力信号の一部または全てが他の前記光伝送装置の前記合波手段へと入力されることを特徴とする光分岐挿入装置。
【００６８】
（付記１１）入力された光信号を前記光信号の各チャネルに応じた経路により合波し合波信号として出力し、前記合波信号を増幅し増幅信号として出力し、前記増幅信号の補正をチャネルごと行い補正信号として出力することを特徴とする光信号の伝送方法。
【００６９】
（付記１２）前記補正信号の一部を計測信号として分岐し、前記計測信号の強度を計測し、計測結果に基づいて前記増幅信号の補正を行うことを特徴とする付記１１に記載の光信号の伝送方法。
【００７０】
以上、実施形態を参照して本願発明を説明したが、本願発明は上記実施形態に限定されものではない。本願発明の構成や詳細には、本願発明のスコープ内で当業者が理解し得る様々な変更をすることができる
この出願は、２０１２年７月２５日に出願された日本出願特願２０１２−１６４２５８を基礎とする優先権を主張し、その開示の全てをここに取り込む。
【産業上の利用可能性】
【００７１】
本発明は、光通信分野における光伝送装置に用いることができる。本発明は、特に光分岐挿入装置等を構成する光伝送装置に適する。
【符号の説明】
【００７２】
１０    合波ユニット
１１    合波器
１２    第１の増幅器
１３    波長ブロッカ
１４    第２の増幅器
２０    分波ユニット
２１    増幅器
２２    分波器
３０    分波ユニット
３１    増幅器
３２    分波器
４０    合波ユニット
４１    合波器
４２    第１の増幅器
４３    波長ブロッカ
４４    第２の増幅器
４５    分岐部
４６    出力計測器
４７    分岐部
４８    分岐部
４９    分岐部
５０    光伝送装置
５１    分波ユニット
５２    合波ユニット
６０    光伝送装置
６１    分波ユニット
６２    増幅器
６３    分波器
６４    合波ユニット
６５    合波器
６６    第１の増幅器
６７    波長ブロッカ
６８    第２の増幅器
６９    クロスコネクト部からの信号群
７０    クロスコネクト部への信号群
７１    アド・ドロップ機能部
８０    合波手段
８１    増幅手段
８２    光信号補正手段
１００    分波素子
１０１    スイッチ素子
１０２    合波素子
１０３    第１の回折格子
１０４    可変光アッテネータ部
１０５    第２の回折格子
【図１】
2014017084.tif 000003
【図２】
2014017084.tif 000004
【図３】
2014017084.tif 000005
【図４】
2014017084.tif 000006
【図５】
2014017084.tif 000007
【図６】
2014017084.tif 000008
【図７】
2014017084.tif 000009
【図８】
2014017084.tif 000010
【図９】
2014017084.tif 000011
【図１０】
2014017084.tif 000012
【図１１】
2014017084.tif 000013
【手続補正書】
【提出日】平成27年1月20日(2015.1.20)
【手続補正１】
【補正対象書類名】特許請求の範囲
【補正対象項目名】全文
【補正方法】変更
【補正の内容】
【特許請求の範囲】
【請求項１】
入力された光信号を各チャネルに応じた経路により合波し合波信号として出力する合波手段と、
前記合波信号を増幅し増幅信号として出力する増幅手段と、
前記増幅信号の補正をチャネルごとに行い補正信号として出力する光信号補正手段とを備えることを特徴とする光伝送装置。
【請求項２】
前記光信号補正手段は、チャネルごとに光信号の強度を補正する手段であることを特徴とする請求項１に記載の光伝送装置。
【請求項３】
前記合波手段は波長選択スイッチを備え、
前記波長選択スイッチは前記合波手段に入力された光信号を前記合波信号として出力する素子であることを特徴とする請求項１または２いずれかに記載の光伝送装置。
【請求項４】
前記補正信号を第１の信号と第２の信号に分岐する分岐手段と、
前記第１の信号を伝送路へ出力する手段と、
前記第２の信号の強度を計測する出力計測手段とをさらに備え、
前記補正手段が前記第２の信号の計測結果を基に信号を補正する手段をさらに有することを特徴とする請求項１から３いずれかに記載の光伝送装置。
【請求項５】
前記合波手段と前記増幅手段との間および前記増幅手段と前記光信号補正手段との間の少なくとも１方に光信号を分岐する副分岐手段をさらに備え、
前記出力計測手段は前記副分岐手段により分岐された光信号の強度を計測する手段をさらに有し、
前記補正手段は前記副分岐手段により分岐された光信号の強度の計測結果を基に信号の強度を補正する手段をさらに有することを特徴とする請求項４に記載の光伝送装置。
【請求項６】
前記合波手段における各チャネルに応じた経路が各々光信号を通過させる帯域幅よりも、前記光信号補正手段における各チャネルに応じた経路が各々光信号を通過させる帯域幅の方が広いことを特徴とする請求項１から５いずれかに記載の光伝送装置。
【請求項７】
前記合波手段および前記光信号補正手段が同一の回路基板上に実装されていることを特徴とする請求項１から６いずれかに記載の光伝送装置。
【請求項８】
請求項１から７いずれかに記載の光伝送装置を複数台備え、
前記光伝送装置のうち１台から出力された出力信号の一部または全てが他の前記光伝送装置の前記合波手段へと入力されることを特徴とする光分岐挿入装置。
【請求項９】
入力された光信号を前記光信号の各チャネルに応じた経路により合波し合波信号として出力し、
前記合波信号を増幅し増幅信号として出力し、
前記増幅信号の補正をチャネルごと行い補正信号として出力することを特徴とする光信号の伝送方法。
【請求項１０】
前記補正信号の一部を計測信号として分岐し、
前記計測信号の強度を計測し、
計測結果に基づいて前記増幅信号の補正を行うことを特徴とする請求項１０に記載の光信号の伝送方法。
【手続補正書】
【提出日】平成27年10月8日(2015.10.8)
【手続補正１】
【補正対象書類名】特許請求の範囲
【補正対象項目名】全文
【補正方法】変更
【補正の内容】
【特許請求の範囲】
【請求項１】
入力された光信号を各チャネルに応じた経路により合波し合波信号として出力する合波手段と、
前記合波信号を増幅し増幅信号として出力する増幅手段と、
前記増幅信号の補正をチャネルごと行い、補正後の信号を、前記増幅信号に含まれるチャネルを全て含むように多重化した補正信号として出力する光信号補正手段とを備えることを特徴とする光伝送装置。
【請求項２】
前記光信号補正手段は、チャネルごとに光信号の強度を補正する手段であることを特徴
とする請求項１に記載の光伝送装置。
【請求項３】
前記合波手段は波長選択スイッチを備え、
前記波長選択スイッチは前記合波手段に入力された光信号を前記合波信号として出力する素子であることを特徴とする請求項１または２いずれかに記載の光伝送装置。
【請求項４】
前記補正信号を第１の信号と第２の信号に分岐する分岐手段と、
前記第１の信号を伝送路へ出力する手段と、
前記第２の信号の強度を計測する出力計測手段とをさらに備え、
前記補正手段が前記第２の信号の計測結果を基に信号を補正する手段をさらに有することを特徴とする請求項１から３いずれかに記載の光伝送装置。
【請求項５】
前記合波手段と前記増幅手段との間および前記増幅手段と前記光信号補正手段との間の少なくとも１方に光信号を分岐する副分岐手段をさらに備え、
前記出力計測手段は前記副分岐手段により分岐された光信号の強度を計測する手段をさらに有し、
前記補正手段は前記副分岐手段により分岐された光信号の強度の計測結果を基に信号の強度を補正する手段をさらに有することを特徴とする請求項４に記載の光伝送装置。
【請求項６】
前記合波手段における各チャネルに応じた経路が各々光信号を通過させる帯域幅よりも、前記光信号補正手段における各チャネルに応じた経路が各々光信号を通過させる帯域幅の方が広いことを特徴とする請求項１から５いずれかに記載の光伝送装置。
【請求項７】
前記合波手段および前記光信号補正手段が同一の回路基板上に実装されていることを特徴とする請求項１から６いずれかに記載の光伝送装置。
【請求項８】
請求項１から７いずれかに記載の光伝送装置を複数台備え、
前記光伝送装置のうち１台から出力された出力信号の一部または全てが他の前記光伝送装置の前記合波手段へと入力されることを特徴とする光分岐挿入装置。
【請求項９】
入力された光信号を前記光信号の各チャネルに応じた経路により合波し合波信号として出力し、
前記合波信号を増幅し増幅信号として出力し、
前記増幅信号の補正をチャネルごと行い、補正後の信号を、前記増幅信号に含まれるチャネルを全て含むように多重化した補正信号として出力することを特徴とする光信号の伝送方法。
【請求項１０】
前記補正信号の一部を計測信号として分岐し、
前記計測信号の強度を計測し、
計測結果に基づいて前記増幅信号の補正を行うことを特徴とする請求項９に記載の光信号の伝送方法。
【手続補正書】
【提出日】平成28年3月10日(2016.3.10)
【手続補正１】
【補正対象書類名】特許請求の範囲
【補正対象項目名】全文
【補正方法】変更
【補正の内容】
【特許請求の範囲】
【請求項１】
伝送路上において入力された光信号を各チャネルに応じた経路により合波し合波信号として出力する合波手段と、
前記合波信号を増幅し増幅信号として出力する増幅手段と、
前記増幅信号の補正をチャネルごと行い、補正後の信号を、前記増幅信号に含まれるチャネルを全て含むように多重化した補正信号として出力する光信号補正手段とを備えることを特徴とする光伝送装置。
【請求項２】
前記光信号補正手段は、チャネルごとに光信号の強度を補正する手段であることを特徴
とする請求項１に記載の光伝送装置。
【請求項３】
前記合波手段は波長選択スイッチを備え、
前記波長選択スイッチは前記合波手段に入力された光信号を前記合波信号として出力する素子であることを特徴とする請求項１または２いずれかに記載の光伝送装置。
【請求項４】
前記補正信号を第１の信号と第２の信号に分岐する分岐手段と、
前記第１の信号を伝送路へ出力する手段と、
前記第２の信号の強度を計測する出力計測手段とをさらに備え、
前記補正手段が前記第２の信号の計測結果を基に信号を補正する手段をさらに有することを特徴とする請求項１から３いずれかに記載の光伝送装置。
【請求項５】
前記合波手段と前記増幅手段との間および前記増幅手段と前記光信号補正手段との間の少なくとも１方に光信号を分岐する副分岐手段をさらに備え、
前記出力計測手段は前記副分岐手段により分岐された光信号の強度を計測する手段をさらに有し、
前記補正手段は前記副分岐手段により分岐された光信号の強度の計測結果を基に信号の強度を補正する手段をさらに有することを特徴とする請求項４に記載の光伝送装置。
【請求項６】
前記合波手段における各チャネルに応じた経路が各々光信号を通過させる帯域幅よりも、前記光信号補正手段における各チャネルに応じた経路が各々光信号を通過させる帯域幅の方が広いことを特徴とする請求項１から５いずれかに記載の光伝送装置。
【請求項７】
前記合波手段および前記光信号補正手段が同一の回路基板上に実装されていることを特徴とする請求項１から６いずれかに記載の光伝送装置。
【請求項８】
請求項１から７いずれかに記載の光伝送装置を複数台備え、
前記光伝送装置のうち１台から出力された出力信号の一部または全てが他の前記光伝送装置の前記合波手段へと入力されることを特徴とする光分岐挿入装置。
【請求項９】
伝送路上において入力された光信号を前記光信号の各チャネルに応じた経路により合波し合波信号として出力し、
前記合波信号を増幅し増幅信号として出力し、
前記増幅信号の補正をチャネルごと行い、補正後の信号を、前記増幅信号に含まれるチャネルを全て含むように多重化した補正信号として出力することを特徴とする光信号の伝送方法。
【請求項１０】
前記補正信号の一部を計測信号として分岐し、
前記計測信号の強度を計測し、
計測結果に基づいて前記増幅信号の補正を行うことを特徴とする請求項９に記載の光信号の伝送方法。
【国際調査報告】
2014017084.tif 000014
2014017084.tif 000015
2014017084.tif 000016
2014017084.tif 000017